(57)【要約】主にフェンスに用いられる、第１及び第２網目100,200が合わさった複合柄の金網Aを得る。２本の縦針金が撚り合わさった撚り部110,120,130から縦針金を左右に分岐し、その延長線140,150,160と、隣の延長線との撚り合わせにより撚り部110,120,130を形成する。この際、撚り部中に分割用横針金170,180を供給するとともに、分割用横針金170,180を挟む上下にて、互いに相反する方向に撚りを加える。以上を反復して偶数個の第１網目100を千鳥状に形成する。第１網目100の最下部の撚り部130から左右に分岐し、その延長線160と、隣の延長線との撚り合わせにより撚り部210を形成し、この際、撚り部中に供給する区画用横針金220を挟んで上下にて、互いに相反する方向に撚り合わせがなされるようにする反復作業により偶数個の第２網目200を形成する。この反復により偶数個の第２網目200を形成する。【選択図】図１
2010532264.tif 000002
【特許請求の範囲】
【請求項１】
それぞれ２本の縦針金が撚り合わされてなる複数個の撚り部（110,120,130）から、それぞれ縦針金を左右に分岐し、隣り合う縦針金との撚り合わせにより撚り部（110,120,130）を形成し、この撚り部をなす２本の縦針金の間に分割用横針金（170,180）を通し、この際に分割用横針金（170,180）を挟む上下間では互いに相反する方向に撚りが加えられるようにし、以上のことを繰り返すことで偶数個の第１網目（100）が千鳥状に形成されるようにする段階と、
第１網目の最下部の撚り部（130）から縦針金を左右に分岐し、隣り合う縦針金との撚り合わせにより撚り部を形成し、この撚り部をなす２本の縦針金の間に区画用横針金（220）を通し、この際にそれぞれ区画用横針金（220）を挟んで上下にて互いに相反する方向に撚りが加えられるようにし、このようなことを繰り返すことで偶数個の第２網目（200）が形成されるようにする段階とからなる複合柄の金網の製造方法。
【請求項２】
それぞれ２本の縦針金が撚り合わされてなる複数個の撚り部から、それぞれ縦針金を左右に分岐し、隣り合う縦針金との撚り合わせにより撚り部を形成し、この撚り部をなす２本の縦針金の間に分割用横針金を通し、この際に、左右に分岐する部分がなす延長線を挟む上下間、及び、分割用横針金を挟む上下間にて、互いに相反する方向に撚りが加えられるようにし、以上のことを繰り返すことで偶数個の第１網目が千鳥状に形成されるようにする段階と、
第１網目の最下部の撚り部から縦針金を左右に分岐し、隣り合う縦針金との撚り合わせにより撚り部を形成し、この撚り部をなす２本の縦針金の間に区画用横針金を通し、この際にそれぞれ区画用横針金を挟んで上下にて互いに相反する方向に撚りが加えられるようにし、このようなことを繰り返すことで偶数個の第２網目が形成されるようにする段階とからなる複合柄の金網の製造方法。
【請求項３】
前記第１及び第２網目に備えられる撚り部は、それぞれ、分割用横針金及び区画用横針金を挟んで上下にて、同一回数の撚りが加えられようにすることを特徴とする請求項２に記載の複合柄の金網。
【請求項４】
前記第１網目に備えられる分割用横針金と、第２網目に備えられる区画用横針金とについて、凹部と凸部とが反復されてなる波状に形成したことを特徴とする請求項２または３に記載の複合柄の金網。
【請求項５】
前記第１網目に備えられる分割用横針金と、第２網目に備えられる区画用横針金とについて、２本の針金が撚り合わされてなる撚り線としたことを特徴とする請求項２または３に記載の複合柄の金網。
【発明の詳細な説明】
【技術分野】
【０００１】
本発明は、主としてフェンスに用いられる複合柄の金網の製造方法及びその金網に関する。より詳細には、様々な形態の網目が組み合わさってなる様々な種類の金網を得ることに関する。
【背景技術】
【０００２】
金網は、主として、公園、畜舎、工場、ダム、軍事施設及び上水源保護区域等のフェンスに用いられる。フェンスとしての基本的な機能を十分に満たしながらも、施工費用が安価で、網目を通して視野を確保できるなどの長所を有する。
【０００３】
しかしながら、現在生産されている金網は、四角目の金網、五角目の金網及び六角金 目の網等、それぞれ網目の形態が異なる３種類が全部である。これらは３種とも、それぞれ与えられるいずれかの形態の網目を、同一の大きさで上下左右に連続して繰り返し形成する構成を有する。そのため、各金網ごとに網目の形態は同一であり、さらには網目の形状による金網の種類は３つに過ぎない。需要者らにとって選択の幅が狭すぎる。のみならず、特には、網目の形態が変形されることなく長い間同一形状の金網が使用されてきた。そのため、デザイン面で価値が低下し、次第に需要者らにそっぽを向かれており、メーカによってはその対策が急がれているのが現状である。
【先行技術文献】
【特許文献】
【０００４】
【特許文献１】韓国特許423531B
【特許文献２】韓国実用新案372629Y1
【特許文献３】米国特許6168118B
【特許文献４】特開2001-207428A
【発明の概要】
【発明が解決しようとする課題】
【０００５】
本発明は、大きさと形態を別にする網目を複合的に配列して形成することによって、新しい美感的価値を与え、さらには撚り部の撚り回数や網目の個数を異ならしめることによって一層様々な形態の金網を得ることができる複合柄の金網の製造方法及びその金網を提供することを課題とする
【課題を解決するための手段】
【０００６】
上記の課題は、以下の複合柄の金網の製造方法及びその金網により解決することができる。それぞれ２本の縦針金が撚り合わされてなる複数個の撚り部から、それぞれ縦針金を左右に分岐し、隣り合う縦針金との撚り合わせにより撚り部を形成し、この際に撚り部中へと分割用横針金を供給して区画するという作業を反復することによって偶数個の第１網目を形成する。そして、第１網目の最下部の撚り部から縦針金を左右に分岐し隣り合う縦針金との撚り合わせにより撚り部を形成し、この際に撚り部中に区画用横針金を供給して区画するという作業を反復することによって偶数個の第２網目を形成する。これらの第１及び第２網目が組み合わさった金網を得ることは勿論のこと、撚り部の撚り回数や網目の個数を異ならせることによって一層様々な金網を得ることができる。
【図面の簡単な説明】
【０００７】
【図１】本発明の一実施例を示す斜視図である。
【図２】本発明の一実施例を示す正面構成図である。
【図３】本発明の他の実施例を示す斜視図である。
【図４】本発明他の実施例を示す正面構成図である。
【図５】本発明さらに他の実施例を示す斜視図である。
【図６】本発明さらに他の実施例を示す斜視図である。
【図７】本発明の使用状態図である。
【発明を実施するための形態】
【０００８】
以下、本発明の好ましい実施例を、添付の図面を参照しつつ詳細に説明する。ただし、図面中、同一の構成要素には可能な限り同一の符号を付する。なお、下記の説明において、関連する公知技術や機能についての具体的な説明は、本発明の要旨がぼやけるのを避けるために省略するものとする。
【０００９】
図１及び図２は、本発明の一実施例を示すものであり、第１及び第２網目１００，２００が組み合わさった複合柄の金網Ａが、次のようにして得られる構成となっている。撚り部１１０，１２０，１３０と、この撚り部から縦針金を左右に分岐してなる延長線１４０，１５０，１６０と、撚り部を通過する分割用横針金１７０，１８０とにより複数個の第１網目１００を形成する。第１網目１００の最下部の延長線１６０が撚り合わされてなる撚り部２１０と、該撚り部を通過する数本の区画用横針金２２０とにより複数個の第２網目２００を形成する。そして、第２網目２００の下部に再び第１網目１００を形成するという反復作業を行う。
【００１０】
ここで、第１網目１００の始点における撚り部１１０はそれぞれ、２本の縦針金が撚り合わされてなる。この撚り部１１０から縦針金を左右に分岐し、この針金と、隣の縦針金とを２回撚り合わせた状態で、これらの縦針金の間に分割用横針金１７０を供給する。この後、再び２回撚り合わせることによって撚り部１２０を形成する。続いて、撚り部１２０から縦針金を左右に分岐し、再び、隣りの縦針金と２回撚り合わせた状態で、これらの縦針金の間に分割用横針金１８０を供給する。この後、再び２回撚り合わせることによって撚り部１３０を形成する。このように繰り返すことで、それぞれ分割用横針金１７０，１８０を挟持している上下１対の小さい四角形状の第１網目１００が、上下にずれて配置された独特の形態を有することとなる。
【００１１】
ただし、第１網目１００を形成するために撚り部１１０，１２０，１３０を撚り合わせる際には、撚り部相互間で相反する方向に撚られるようにしなければならず、各撚り部１１０，１２０，１３０についても、同様に、各撚り部を通過する分割用横針金１７０，１８０を挟んで上下部が相反する方向に撚られるようにしなければならい。さらには、網目１００を偶数個にしなければならない。このようにしてこそ、連続した作業が可能になる。
【００１２】
その理由は次のとおりである。金網製造装置を用いた金網の製造時に、各縦針金は供給部から引き出され、それぞれ一対の半月ギアを通過し、半月ギアが定位置で一対が共に回転するか、または、スライディング作動により隣りの半月ギアと対をなして共に回転するようにする。このようにすることにより、延長線１４０，１５０，１６０を挟んで上下にて、相異なる撚り部１１０，１２０，１３０が形成される。この過程で、半月ギアは、その構造的な特性上、一マス以上のスライディング作動が不可能である。また、回転により撚り部１１０，１２０，１３０を撚る際に、半月ギア後方の供給部においても縦針金が同一回数だけ撚られる。そのため、いずれか一方への回転による撚りの後に、いずれか他方へ回転させ、以前の撚り部における撚り回数と同一の回数の撚り合わせが行われるようにしなければならない。このようにしてこそ、当該供給部で撚り合わされている横針金がそれ以上撚られることなく直ちに解かれるということが繰り返される。このようにして、連続作業が可能になるわけである。
【００１３】
また、第１網目１００は、最下部の撚り部１３０から縦針金を左右に分岐し、隣り合う縦針金と撚り合わせることで完成する。この後、このように撚り合わせた撚り部２１０について４回、引き続き撚りを加えてから、当該撚り部をなす2本の縦針金の間に区画用横針金２２０を供給する。そして、この後、再び４回、撚りを加える。このように反復することで、区画用横針金２２０により区画された直方形の第２網目２００が形成される。
【００１４】
このような第２網目２００の形成時にも、撚り部２１０の撚りの開始点では、以前の第１網目１００における最下部の撚り部１３０の撚り方向とは相反する方向に撚られるようにしなければならならない。また、区画用横針金２２０を挟む上下間では、互いに相反する方向に撚られるようにしなければならない。さらには、第２網目２００の個数を偶数個にしなければならならない。このようにしてこそ、いずれか一方に過度に撚られることなく連続した作業が可能になる。
【００１５】
したがって、本発明により得られる第１網目１００は、以下のとおりとなる。各撚り部１１０，１２０，１３０の左右の撚り部間の間隔により左右幅に変化を与えることはできない。しかし、各分割用横針金１７０，１８０を挟むようにして、上下の延長部１４０，１５０，１６０の間には、各撚り部ごとにその上下に与えられる２回の撚りにより、正方形の小さくて特徴的な第１網目１００が千鳥状に形成される。また、第１網目１００の下方には、各区画用横針金２２０を挟むようにして、上下に与えられる４回の撚りにより、縦長の直方形の第２網目２００が形成される。なお、第１網目１００及び第２網目２００をそれぞれ偶数個に形成するならば、網目１００，２００の個数にかかわらずに連続した反復作業が可能になる。そのため、上記に限定されず、第１及び第２網目をそれぞれ２個にする配列構成、第１網目は２個にし第２網目は４個にする配列構成、または、第１網目は４個にし第２網目は２個にする配列構成等の配列構成も可能である。このように、網目の個数を異ならせることによって多種多様の、複合柄の金網Ａを得ることができる。
【００１６】
図３及び図４は、本発明の他の実施例である。第１網目３００を得るための撚り部３１０，３２０，３３０の撚り回数と、第２網目４００を得るための撚り部４１０の撚り回数とを異ならせることで、第１及び第２網目３００，４００の形態を変形させて、新たな形態の複合柄の金網Ｂを得ることができることを示している。
【００１７】
すなわち、以下のとおりである。各網目３００，４００に備えられる各撚り部３１０，３２０，３３０，４１０が互いに相反する方向に撚られるようにし、かつ、各網目３００，４００を偶数個としている。このようにして連続した作業を可能にしつつ、次のようにする。第１網目３００における撚り部３１０，３２０，３３０については、分割用横針金３７０，３８０を挟んで上下にてそれぞれ４回撚られるようにする。これにより、縦長の直方形の第１網目を形成することができる。一方、第２網目４００に備えられる撚り部４１０については、区画用横針金４２０を挟んで上下にてそれぞれ２回撚られるようにする。これにより、正方形の第２網目４００を形成することができる。
【００１８】
この場合も、同様に、第１及び第２網目をそれぞれ２個にする配列、第１網目は２個とし第２網目は４個にする配列、または、第１網目は４個とし第２網目は２個にする配列等、網目の個数を異ならせて配列することによって、多種多様な複合柄の金網Ｂを得ることができる。
【００１９】
図５は、本発明のさらに他の実施例である。第１網目５００に備えられる分割用横針金５７０，５８０と、第２網目６００に備えられる区画用横針金６２０とについて、凹部と凸部が反復して形成される波状にすることもできることを示す。
【００２０】
すなわち、次のとおりとすることができる。各横針金５７０，５８０，６２０は、撚り部５１０，５２０，５３０，６１０の撚りの中へと、縦針金の間に供給されて、各網目５００，６００をそれぞれ区画するものである。波状にするならば、当該撚り部５１０，５２０，５３０，６１０との結束がより堅固になり、金網Ｃの強度が向上する。また、網目５００，６００の大きさを変化させることなく、新たな美感的価値を与えることができる。
【００２１】
図６は、本発明のさらに他の実施例である。第１網目７００に備えられる分割用横針金７７０，７８０と、第２網目８００に備えられる区画用横針金８２０とについて、２本の針金を撚り合わせた撚り線とすることもできることを示す。
【００２２】
このような撚り線とした横針金７７０，７８０，８２０も同様、その撚り部７１０，７２０，７３０，８１０との結束がより堅固になり、金網Ｄの強度が向上する。また、網目７００，８００の大きさを変化させることなく、新たな美感的価値を与えることができる。
【００２３】
図７は、本発明をフェンスに用いた場合を示すものである。本発明により得られる複合柄の金網Ａは、大きさと形態が異なる第１及び第２網目１００，２００が合わさって調和をなし、従来にはなかった独特で新しい美感的価値を有することは勿論、外観上安定感を与え、その利用価値を高めることができる。
【産業上の利用可能性】
【００２４】
本発明においては、撚り部１１０，１２０，１３０と、該撚り部を通過する分割用横針金１７０，１８０と、上下延長線１４０，１５０，１６０とにより、偶数個の第１網目１００をジグザグに形成させる。また、第１網目１００から延在する撚り部２１０を形成する過程で、その撚り部を適正間隔で通過する多数本の区画用横針金２２０により偶数個の第２網目２００を形成させる。このようにして、以下のような効果が得られる。大きさと形態が異なる２種の網目１００，２００が複合して配列形成された複合柄の金網Ａを得ることができる。また、撚り部１１０，１２０，１３０，２１０の撚り回数や網目１００，２００の個数を異ならせることによって、全体としての形状が異なる多種の金網を得ることができる。そのため、従来にはなかった新しく多様な形態の複合柄の金網を提供できる。さらには、金網の利用価値を高めることができる等の効果が得られる。
【符号の説明】
【００２５】
Ａ  複合柄の金網、    １００  第１網目、    １１０，１２０，１３０  撚り部、    
１４０，１５０，１６０  延長線、            １７０，１８０    分割用横針金、    
２００  第２網目、    ２１０  撚り部、      ２２０  区画用横針金
【図１】
2010532264.tif 000003
【図２】
2010532264.tif 000004
【図３】
2010532264.tif 000005
【図４】
2010532264.tif 000006
【図５】
2010532264.tif 000007
【図６】
2010532264.tif 000008
【図７】
2010532264.tif 000009
【国際調査報告】
2010532264.tif 000010
2010532264.tif 000011